(57)【要約】(課題)一回服用分として準備される薬剤中に、同種のものであって薬剤特定情報の相違するものが含まれている場合であっても、薬剤と製造履歴情報との関係を明確に把握可能なように薬剤を包装可能な薬剤包装装置の提供を目的とした。(解決手段)制御手段１００により、薬剤フィーダ４６から払い出される薬剤の製造履歴に基づく製造履歴情報を特定することが可能とされており、同種の薬剤であって製造履歴情報が相違する薬剤が薬剤フィーダ４６から払い出される場合に、一回服用分として包装する薬剤が製造履歴情報毎に分けて薬剤が包装される。そのため、薬剤フィーダ４６における薬剤の欠品が発生するなどして、製造履歴情報ＭＣの相違する薬剤が供給される場合であっても、製造履歴情報と薬剤との対応関係を容易かつ正確に把握可能なように薬剤を包装することが可能となる。【選択図】図７
2011052766.tif 000002
【特許請求の範囲】
【請求項１】
薬剤を払い出し可能な薬剤払出手段と、
前記薬剤払出手段によって払い出された薬剤を受け入れ、所定のタイミングで払い出し可能な薬剤準備手段と、
前記薬剤準備手段から払い出された薬剤を分包紙によって包装可能な包装手段と、
処方データにあわせて薬剤の払い出しから包装に至る動作を制御すると共に、前記薬剤払出手段から払い出される薬剤の製造履歴情報を特定可能な制御手段と、
薬剤を包装するために用いられる分包紙を供給可能な分包紙供給手段と、
前記分包紙供給手段から前記包装手段に向けて供給される前記分包紙に前記製造履歴情報を印刷可能な印刷手段とを有し、
一回服用分として包装する薬剤として前記薬剤払出手段から払い出される薬剤に、同種の薬剤であって製造履歴情報の相違するものが含まれる場合に、製造履歴情報毎に異なる包に分けて包装されることを特徴とする薬剤包装装置。
【請求項２】
薬剤を払い出し可能な薬剤払出手段と、
前記薬剤払出手段によって払い出された薬剤を受け入れ、所定のタイミングで払い出し可能な薬剤準備手段と、
薬剤を包装するために用いられる分包紙を供給可能な分包紙供給手段と、
前記薬剤準備手段から払い出された薬剤を前記分包紙供給手段から供給された分包紙によって包装可能な包装手段と、
前記分包紙供給手段から前記包装手段に向けて供給される前記分包紙に、前記薬剤払出手段から払い出される薬剤の製造履歴情報印刷可能な印刷手段と、
処方データにあわせて薬剤の払い出しから包装に至る動作を制御可能な制御手段とを有し、
前記薬剤払出手段が、薬剤の収容及び払出が可能な薬剤フィーダを複数備えたものであり、
前記制御手段が、前記薬剤フィーダに収容されている薬剤の製造履歴情報を格納する記憶部を有し、前記記憶部を参照することにより製造履歴情報を特定することが可能なものであり、
前記複数の薬剤フィーダから包装対象である薬剤が収容されているものを選択フィーダとして特定し、薬剤を払い出させる工程と、
前記選択フィーダから払い出された薬剤の実払出数と、前記処方データに基づいて指定された薬剤の指定払出数とが比較される工程と、
前記実払出数が前記指定払出数よりも少ない場合に、前記選択フィーダにおいて薬剤の欠品が発生したものと判断される工程と、
前記選択フィーダにおいて欠品が発生したと判断された場合に、前記複数の薬剤フィーダから前記包装対象である薬剤が収容されている代替フィーダが存在するか否かが確認される工程と、
前記代替フィーダが存在する場合、前記選択フィーダからの薬剤の払い出し動作において不足していた分の薬剤が前記代替フィーダから払い出される工程と、
前記代替フィーダからの薬剤の払出が完了したことが確認されれば、一回服用分として包装する薬剤を製造履歴情報毎に異なる包に分けて包装する分割包装が実施される分割包装工程とを有することを特徴とする薬剤包装装置。
【請求項３】
薬剤を払い出し可能な薬剤払出手段と、
前記薬剤払出手段によって払い出された薬剤を受け入れ、所定のタイミングで払い出し可能な薬剤準備手段と、
薬剤を包装するために用いられる分包紙を供給可能な分包紙供給手段と、
前記薬剤準備手段から払い出された薬剤を前記分包紙供給手段から供給された分包紙によって包装可能な包装手段と、
前記分包紙供給手段から前記包装手段に向けて供給される前記分包紙に、前記薬剤払出手段から払い出される薬剤の製造履歴情報印刷可能な印刷手段と、
処方データにあわせて薬剤の払い出しから包装に至る動作を制御可能な制御手段とを有し、
前記薬剤払出手段が、薬剤の収容及び払出が可能な薬剤フィーダを複数備えたものであり、前記制御手段が、前記薬剤フィーダに収容されている薬剤の製造履歴情報を格納する記憶部を有し、前記記憶部を参照することにより製造履歴情報を特定することが可能なものであり、
前記記憶部に前記製造履歴情報を入力可能な入力デバイスをさらに備え、
前記複数の薬剤フィーダから包装対象である薬剤が収容されているものを特定し、薬剤を払い出させる工程と、
前記薬剤フィーダから払い出された薬剤の実払出数と、前記処方データに基づいて指定された薬剤の指定払出数とが比較される工程と、
前記実払出数が前記指定払出数よりも少ない場合に、前記薬剤フィーダにおいて薬剤の欠品が発生したものと判断される工程と、
前記薬剤フィーダにおいて欠品が発生したと判断された場合に、前記薬剤フィーダへ前記包装対象である薬剤が充填されるとともに、前記記憶部に充填対象の薬剤の製造履歴情報を前記入力デバイスから入力されると、前記薬剤フィーダに薬剤が充填されるよりも前の段階において不足していた分の薬剤が前記薬剤フィーダから払い出される工程と、
前記不足していた分の薬剤の払出が完了したことが確認されれば、一回服用分として包装する薬剤を前記製造履歴情報と、前記充填された薬剤の製造履歴情報とで異なる包に分けて包装する分割包装が実施される分割包装工程とを有することを特徴とする薬剤包装装置。
【請求項４】
前記印刷手段が、制御手段から発信されたプリントデータに基づいて分包紙に製造履歴情報を含む所定の情報を印刷可能なものであり、
分割包装が実施される場合に、一回服用分として包装される薬剤のうち、欠品が発生するまでに払い出された先払出分の薬剤に関するプリントデータと、欠品の発生後に払い出された後払出分の薬剤に関するプリントデータとが前記制御手段から発信されることを特徴とする請求項２または３に記載の薬剤包装装置。
【請求項５】
前記印刷手段が、前記包装手段に対して前記分包紙の供給方向上流側に配されており、
前記薬剤払出手段から薬剤が払い出されたタイミング以降において、払い出された薬剤に関する情報が前記印刷手段により印刷されることを特徴とする請求項１〜４のいずれかに記載の薬剤包装装置。
【請求項６】
前記印刷手段が、前記包装手段に対して前記分包紙供給手段により供給される分包紙の流れ方向上流側に配されており、
前記薬剤準備手段は、回動可能な区画形成体と、薬剤を前記薬剤準備手段から払い出すための開口と、前記薬剤払出手段から払い出された薬剤を投入するための孔とを有するものであり、
前記区画形成体が、薬剤を１包分ずつ溜め置くことが可能な区画を周方向に複数備えており、
前記区画形成体が回転し前記各区画が前記孔に対応する位置に到来することにより、前記孔を介して当該区画内に薬剤を投入することが可能であり、
前記区画形成体が回転し前記各区画が前記開口に相当する位置に到来することにより、当該区画内にある薬剤が払い出されるものであり、
前記開口よりも前記区画形成体の回転方向上流側の位置に前記孔が設けられていることを特徴とする請求項１から５に記載の薬剤払出装置。
【請求項７】
前記印刷手段と前記包装手段との間において分包紙が通過する経路の長さが、１包分の薬剤を分包するのに要する分包紙の長さのｎ倍であり、
前記開口よりも前記区画形成体の回転方向にｎ区画以上上流側の位置に前記孔が設けられていることを特徴とする請求項６に記載の薬剤払出装置。
【請求項８】
前記製造履歴情報が、薬剤の製造ロット番号、製造年月日、使用期限のうち、少なくともいずれか一つを含む情報によって構成されていることを特徴とする請求項１〜７のいずれかに記載の薬剤包装装置。
【発明の詳細な説明】
【技術分野】
【０００１】
本発明は、処方にあわせて薬剤を払い出して包装可能な薬剤包装装置に関するものである。
【背景技術】
【０００２】
従来、下記特許文献１や特許文献２に開示されているような薬剤包装装置が提供されている。特許文献１に開示されている薬剤包装装置は、薬剤を包装するための包装装置と、プリンタとを備えた構成とされており、包装装置において一回服用分に相当する薬剤毎に分包するとともに、その分包に際しプリンタにて服用時期などの用法や、患者名などの情報を印刷することができる構成とされている。【０００３】
また、特許文献２に開示されている薬剤包装装置では、薬剤の使用期限やロット番号などの薬剤に特有の履歴情報（以下、「製造履歴情報」とも称す）を包装時に分包紙に印刷させることが可能とされている。このため、この薬剤包装装置により薬剤を包装すれば、使用期限が切れた薬剤が服用されてしまうのを防止したり、薬剤の履歴調査を容易に実施可能としたりすることができる。
【先行技術文献】
【特許文献】
【０００４】
【特許文献１】特開２０００−１８５９０３号公報
【特許文献２】特開２００８−６２９４５号公報
【発明の概要】
【発明が解決しようとする課題】
【０００５】
上記従来の薬剤包装装置では、処方データにしたがって包装することにより一回に服用すべき薬剤が一単位とされ、一包に纏めて包装される。そのため、包装動作中に薬剤の欠品が生じるなどすると使用期限やロット番号など製造履歴情報の相違する薬剤が同包される場合がある。上記従来の薬剤包装装置では、このようにして製造履歴情報の相違する薬剤が一包に纏めて包装された場合に、それぞれの使用期限やロット番号を分包紙に併記することとしているが、包装されている各薬剤と、印刷されている製造履歴情報との対応関係が不明となってしまうという問題があった。【０００６】
そこで、本発明は、一回服用分として準備される薬剤中に、同種のものであって薬剤特定情報の相違するものが含まれている場合であっても、薬剤と製造履歴情報との関係を明確に把握可能なように薬剤を包装可能な薬剤包装装置の提供を目的とした。
【課題を解決するための手段】
【０００７】
上記した課題を解決すべく提供される本発明の薬剤包装装置は、薬剤を払い出し可能な薬剤払出手段と、前記薬剤払出手段によって払い出された薬剤を受け入れ、所定のタイミングで払い出し可能な薬剤準備手段と、前記薬剤準備手段から払い出された薬剤を分包紙によって包装可能な包装手段と、処方データにあわせて薬剤の払い出しから包装に至る動作を制御すると共に、前記薬剤払出手段から払い出される薬剤の製造履歴情報を特定可能な制御手段と、薬剤を包装するために用いられる分包紙を供給可能な分包紙供給手段と、前記分包紙供給手段から前記包装手段に向けて供給される前記分包紙に前記製造履歴情報を印刷可能な印刷手段とを有し、一回服用分として包装する薬剤として前記薬剤払出手段から払い出される薬剤に、同種の薬剤であって製造履歴情報の相違するものが含まれる場合に、製造履歴情報毎に異なる包に分けて包装されることを特徴としている。【０００８】
また、本発明の薬剤包装装置は、薬剤を払い出し可能な薬剤払出手段と、前記薬剤払出手段によって払い出された薬剤を受け入れ、所定のタイミングで払い出し可能な薬剤準備手段と、薬剤を包装するために用いられる分包紙を供給可能な分包紙供給手段と、前記薬剤準備手段から払い出された薬剤を前記分包紙供給手段から供給された分包紙によって包装可能な包装手段と、前記分包紙供給手段から前記包装手段に向けて供給される前記分包紙に、前記薬剤払出手段から払い出される薬剤の製造履歴情報印刷可能な印刷手段と、処方データにあわせて薬剤の払い出しから包装に至る動作を制御可能な制御手段とを有し、前記薬剤払出手段が、薬剤の収容及び払出が可能な薬剤フィーダを複数備えたものであり、前記制御手段が、前記薬剤フィーダに収容されている薬剤の製造履歴情報を格納する記憶部を有し、前記記憶部を参照することにより製造履歴情報を特定することが可能なものであり、前記複数の薬剤フィーダから包装対象である薬剤が収容されているものを選択フィーダとして特定し、薬剤を払い出させる工程と、前記選択フィーダから払い出された薬剤の実払出数と、前記処方データに基づいて指定された薬剤の指定払出数とが比較される工程と、前記実払出数が前記指定払出数よりも少ない場合に、前記選択フィーダにおいて薬剤の欠品が発生したものと判断される工程と、前記選択フィーダにおいて欠品が発生したと判断された場合に、前記複数の薬剤フィーダから前記包装対象である薬剤が収容されている代替フィーダが存在するか否かが確認される工程と、前記代替フィーダが存在する場合、前記選択フィーダからの薬剤の払い出し動作において不足していた分の薬剤が前記代替フィーダから払い出される工程と、前記代替フィーダからの薬剤の払出が完了したことが確認されれば、一回服用分として包装する薬剤を製造履歴情報毎に異なる包に分けて包装する分割包装が実施される分割包装工程とを有することを特徴としている。【０００９】
上述した本発明の薬剤包装装置は、薬剤を払い出し可能な薬剤払出手段と、前記薬剤払出手段によって払い出された薬剤を受け入れ、所定のタイミングで払い出し可能な薬剤準備手段と、薬剤を包装するために用いられる分包紙を供給可能な分包紙供給手段と、前記薬剤準備手段から払い出された薬剤を前記分包紙供給手段から供給された分包紙によって包装可能な包装手段と、前記分包紙供給手段から前記包装手段に向けて供給される前記分包紙に、前記薬剤払出手段から払い出される薬剤の製造履歴情報印刷可能な印刷手段と、処方データにあわせて薬剤の払い出しから包装に至る動作を制御可能な制御手段とを有し、前記薬剤払出手段が、薬剤の収容及び払出が可能な薬剤フィーダを複数備えたものであり、前記制御手段が、前記薬剤フィーダに収容されている薬剤の製造履歴情報を格納する記憶部を有し、前記記憶部を参照することにより製造履歴情報を特定することが可能なものであり、前記記憶部に前記製造履歴情報を入力可能な入力デバイスをさらに備え、前記複数の薬剤フィーダから包装対象である薬剤が収容されているものを特定し、薬剤を払い出させる工程と、前記薬剤フィーダから払い出された薬剤の実払出数と、前記処方データに基づいて指定された薬剤の指定払出数とが比較される工程と、前記実払出数が前記指定払出数よりも少ない場合に、前記薬剤フィーダにおいて薬剤の欠品が発生したものと判断される工程と、前記薬剤フィーダにおいて欠品が発生したと判断された場合に、前記薬剤フィーダへ前記包装対象である薬剤が充填されるとともに、前記記憶部に充填対象の薬剤の製造履歴情報を前記入力デバイスから入力されると、前記薬剤フィーダに薬剤が充填されるよりも前の段階において不足していた分の薬剤が前記薬剤フィーダから払い出される工程と、前記不足していた分の薬剤の払出が完了したことが確認されれば、一回服用分として包装する薬剤を前記製造履歴情報と、前記充填された薬剤の製造履歴情報とで異なる包に分けて包装する分割包装が実施される分割包装工程とを有することを特徴としている。【００１０】
上述した本発明の薬剤包装装置は、前記印刷手段が、制御手段から発信されたプリントデータに基づいて分包紙に製造履歴情報を含む所定の情報を印刷可能なものであり、分割包装が実施される場合に、一回服用分として包装される薬剤のうち、欠品が発生するまでに払い出された先払出分の薬剤に関するプリントデータと、欠品の発生後に払い出された後払出分の薬剤に関するプリントデータとが前記制御手段から発信されることを特徴とするものとすることが可能である。【００１１】
本発明の薬剤包装装置は、前記印刷手段が、前記包装手段に対して前記分包紙の供給方向上流側に配されており、前記薬剤払出手段から薬剤が払い出されたタイミング以降において、払い出された薬剤に関する情報が前記印刷手段により印刷されることを特徴とするものであることが望ましい。【００１２】
また、本発明の薬剤包装装置は、前記印刷手段が、前記包装手段に対して前記分包紙供給手段により供給される分包紙の流れ方向上流側に配されており、前記薬剤準備手段は、回動可能な区画形成体と、薬剤を前記薬剤準備手段から払い出すための開口と、前記薬剤払出手段から払い出された薬剤を投入するための孔とを有するものであり、前記区画形成体が、薬剤を１包分ずつ溜め置くことが可能な区画を周方向に複数備えており、前記区画形成体が回転し前記各区画が前記孔に対応する位置に到来することにより、前記孔を介して当該区画内に薬剤を投入することが可能であり、前記区画形成体が回転し前記各区画が前記開口に相当する位置に到来することにより、当該区画内にある薬剤が払い出されるものであり、前記開口よりも前記区画形成体の回転方向上流側の位置に前記孔が設けられていることを特徴とするものであることが好ましい。【００１３】
本発明の薬剤包装装置を上述したような構成とする場合は、前記印刷手段と前記包装手段との間において分包紙が通過する経路の長さが、１包分の薬剤を分包するのに要する分包紙の長さのｎ倍であり、前記開口よりも前記区画形成体の回転方向にｎ区画以上上流側の位置に前記孔が設けられていることが好ましい。【００１４】
本発明の薬剤包装装置は、前記製造履歴情報が、薬剤の製造ロット番号、製造年月日、使用期限のうち、少なくともいずれか一つを含む情報によって構成されていることを特徴とするものであることが望ましい。
【発明の効果】
【００１５】
本発明の薬剤包装装置は、制御手段により、薬剤払出手段から払い出される薬剤の製造履歴に基づく製造履歴情報を特定することが可能とされており、同種の薬剤であって前記製造履歴情報が相違する薬剤が前記薬剤払出手段から払い出される場合に、前記製造履歴情報毎に別包に分けて包装されることとされている。また、本発明の薬剤包装装置では、制御手段により特定された薬剤の製造履歴情報が印刷手段により分包紙に印刷される。そのため、本発明の薬剤包装装置によれば、薬剤と製造履歴情報との関係を明確に把握可能なように薬剤を包装することができる。【００１６】
また、一回服用分として包装する薬剤として薬剤払出手段から払い出される薬剤が、同種の薬剤であって製造履歴情報の相違するものを含むものである場合に、製造履歴情報毎に異なる包に分けて包装することとすれば、製造履歴情報の異なる同種の薬剤が単一の包に混在するのを確実に防止できる。したがって、本発明によれば、薬剤と製造履歴情報との相対関係を容易かつ確実に把握可能な薬剤包装装置を提供できる。【００１７】
本発明の薬剤包装装置は、薬剤払出手段が、薬剤の収容及び払出が可能な薬剤フィーダを複数備えたものであり、薬剤フィーダから払い出された薬剤の実払出数が、前記処方データに基づいて指定された薬剤の指定払出数よりも少ない場合に、前記薬剤フィーダにおいて薬剤の欠品が発生したものと判断され、一回服用分として包装する薬剤が製造履歴情報毎に異なる包に分けて包装（分割包装）される。そのため、本発明の薬剤包装装置によれば、薬剤フィーダにおいて欠品が発生し、一回の服用分として製造履歴情報の異なる同種の薬剤が払い出される場合であっても、単一の包に製造履歴情報の異なる同種の薬剤が混在するのを確実に防止できる。したがって、本発明によれば、薬剤と製造履歴情報との相対関係を容易かつ確実に把握可能な薬剤包装装置を提供できる。【００１８】
また、本発明の薬剤包装装置では、分割包装が実施される場合に、一回服用分として包装される薬剤のうち、欠品が発生するまでに払い出された先払出分の薬剤に関するプリントデータと、欠品の発生後に払い出された後払出分の薬剤に関するプリントデータとが制御手段から発信される。そのため、先払出分の薬剤を包装した袋および後払出分の薬剤を包装した袋の双方に製造履歴情報を含む情報が印刷されることになり、薬剤と製造履歴情報との対応関係が明確となる。【００１９】
本発明の薬剤包装装置は、前記印刷手段が、前記包装手段に対して前記分包紙の供給方向上流側に配されており、前記薬剤払出手段から薬剤が払い出されたタイミング以降において、払い出された薬剤に関する情報が前記印刷手段により印刷されるものであるため、分包紙等の無駄の発生を抑制することができる。【００２０】
上述したように、本発明の薬剤包装装置では、印刷手段と包装手段との間において分包紙が通過する経路の長さが、一包分の薬剤を包装するのに要する分包紙の長さのｎ倍とされている。また、本発明の薬剤包装装置が備える薬剤準備手段には複数の区画が設けられており、それぞれの区画内に投入されている薬剤を所定の順番で払い出すことが可能とされている。そのため、本発明の薬剤包装装置では、複数の区画のうち一の区画Ｘに溜め置かれている薬剤が払い出されるタイミングを基準として、ｎ区画分（ｎ包分）の薬剤を薬剤準備手段から包装手段に向けて払い出すのに要する期間だけ前のタイミングにおいて印刷手段によって印刷される分包紙には、前記した区画Ｘから払い出された薬剤が包装されることとなる。すなわち、本発明の薬剤包装装置では、区画Ｘに対応した印刷が分包紙に施される以前のタイミングで区画Ｘに包装すべき薬剤が投入されると共に、区画Ｘに準備された薬剤が包装部に払い出されるタイミングと、分包紙において区画Ｘに収容された薬剤についての製造履歴情報などの情報を印刷した部位が包装部に到達するタイミングとが一致している。そのため、本発明の薬剤包装装置では、包装すべき薬剤が区画Ｘに投入されていることを条件として分包紙に印刷が施されることとなり、包装すべき薬剤がきちんと投入されているか否かを容易に監査できる。また、本発明の薬剤包装装置では、万が一、薬剤の供給不良があった場合には分包紙への印刷がなされず、その分だけ分包紙等の無駄を抑制することができる。なお、本構成は、分包紙によって形成される分包袋の長さが一定であるという条件下において好適に採用できるものであり、分包袋の長さが変化する場合はこの限りではない。【００２１】
本発明の薬剤包装装置を上述したような構成とする場合は、前記薬剤準備手段において複数の区画のうち区画Ｘに溜め置かれている薬剤が払い出されるタイミングに対して、薬剤準備手段からｎ区画分に相当する薬剤が払い出されるのに要する期間だけ前のタイミングまでに前記区画Ｘに薬剤が投入されていることを、印刷手段により分包紙への印刷を行うための条件とすることが好ましい。【００２２】
本発明の薬剤包装装置では、薬剤準備手段において区画Ｘに溜め置かれている薬剤が払い出されるタイミングに対して、薬剤準備手段からｎ区画分に相当する薬剤が払い出されるのに要する期間以上前のタイミングにおいて、薬剤払出手段から前記区画Ｘに薬剤が払い出される。そのため、本発明の薬剤包装装置では、薬剤が区画Ｘに確実に投入された状態において分包紙に区画Ｘに対応した情報が印刷される。したがって、本発明の薬剤包装装置によれば、包装すべき薬剤が正確に包装されているか否かを容易に監査可能であると共に、仮に薬剤の供給不良が起こるようなことがあったとしてもこれに伴う分包紙等の無駄を解消することができる。【００２３】
また、上述した製造履歴情報を、薬剤の製造ロット番号、製造年月日、使用期限のうち、少なくともいずれか一つを含む情報によって構成されたものとすることにより、薬剤の製造履歴の追跡や、薬剤の使用期限を容易に把握することが可能となる。
【図面の簡単な説明】
【００２４】
【図１】本発明の一実施形態に係る薬剤包装装置を示す斜視図である。
【図２】図１に示す薬剤包装装置の内部構造を模式的に示した正面図である。
【図３】図１に示す薬剤包装装置の下方側部分の内部構造を示す斜視図である。
【図４】薬剤準備手段を示す分解斜視図である。
【図５】薬剤準備手段の内部構造を示す平面図である。
【図６】（ａ）は分包袋の短辺を圧着して封鎖する段階を示す説明図であり、（ｂ）は残りの辺を封鎖する段階を示す説明図である。
【図７】制御手段の構成を示すブロック図である。
【図８】図１に示す薬剤包装装置の動作を示すフローチャートである。
【図９】図１に示す薬剤包装装置の動作を示すフローチャートである。
【図１０】図１に示す薬剤包装装置の動作を示すフローチャートである。
【図１１】製造履歴情報の相違する薬剤を包装する際の包装形態を示す説明図である。
【図１２】（ａ）〜（ｄ）は区画形成体の動作を順を追って説明した説明図である。
【図１３】図１１に示す包装形態の変形例を示す説明図である。
【図１４】図１１に示す包装形態の変形例を示す説明図である。
【図１５】図１１に示す包装形態の変形例を示す説明図である。
【発明を実施するための形態】
【００２５】
続いて、本発明の一実施形態である薬剤包装装置１０について、図面を参照しつつ詳細に説明する。なお、本発明は、本実施形態に限定されるものではない。
【００２６】
薬剤包装装置１０は、薬剤を処方毎に分包紙Ｐに包装して払い出すものである。図１に示すように、薬剤包装装置１０は直方体状の本体２０を有する。図２に示すように、薬剤包装装置１０は、本体２０の内部に薬剤払出手段３０や、薬剤準備手段５０を有する。また、図３に示すように、本体２０の下方側には、分包紙供給手段６０、印刷手段７０、包装手段８０、分包紙送り機構９０が設けられている。さらに、図７に示すように、薬剤包装装置１０は、制御手段１００を備えている。
【００２７】
薬剤払出手段３０は、薬剤を貯蔵すると共に、処方に応じて薬剤を適宜排出し、包装手段８０に供給するために設けられたものである。薬剤払出手段３０は、供給部３２を備えている。供給部３２は、薬剤を貯蔵しておき、処方にあわせて薬剤を薬剤準備手段５０に向けて排出する機能を有する。また、薬剤準備手段５０は、供給部３２から供給された薬剤を同一の包に包装する分ずつ溜めておき、包装手段８０に向けて順次排出する機能を有する。
【００２８】
具体的には、図２に示すように、供給部３２は、薬剤を供給するための手段としてフィーダ式供給部３６や手撒式供給部３８を有する。これに加えて、供給部３２は、待機ホッパー４０や収集ホッパー４２、手撒ホッパー４４などを備えている。フィーダ式供給部３６は、カセット型の薬剤フィーダ４６を多数備え、各薬剤フィーダ４６に予め準備しておいた薬剤を処方にあわせて排出することができるものである。フィーダ式供給部３６の下方には待機ホッパー４０が配置されている。待機ホッパー４０は、制御手段１００からの動作制御により開閉可能とされており、閉止した状態として各薬剤フィーダ４６から払い出された薬剤を同一の包に包装する分だけ集めた後、図示しない動力源を作動させて開くことにより、一度に排出することができる。待機ホッパー４０から排出された薬剤は、待機ホッパー４０の下方に設けられた収集ホッパー４２を介して薬剤準備手段５０に供給される。また、フィーダ式供給部３６には、各薬剤フィーダ４６毎に薬剤の排出を検知するための薬剤排出センサ４６ａが設けられている。
【００２９】
また、手撒式供給部３８は、フィーダ式供給部３６とは別に用意されたものであり、フィーダ式供給部３６から払い出すのに適さない薬剤や、フィーダ式供給部３６に準備されていない薬剤を包装用として供給するために使用されるものである。手撒式供給部３８は、フィーダ式供給部３６と同様に薬剤を薬剤準備手段５０側に向けて供給することができる。手撒式供給部３８は、手撒ユニット４８を備えている。手撒ユニット４８は、常時は本体２０内に収容されているが、必要に応じて図１に示すように本体２０の正面側において引き出して使用することが可能とされている。図１に示すように、手撒ユニット４８は、単一の包に包装する薬剤をまとめて収容できるマス４８ａを複数、マトリックス状に設けたものである。手撒ユニット４８は、マス４８ａを一つずつ開くことにより、薬剤を一包分ずつ薬剤準備手段５０側に供給することができる。手撒ユニット４８は、図１に示すように引き出した状態にすることにより薬剤を各マス４８ａに補充可能な状態になる。また、手撒ユニット４８は、薬剤包装装置１０の本体内に収容された状態にすることにより下方に手撒ホッパー４４が到来し、各マス４８ａに準備された薬剤を下方に設けられた手撒ホッパー４４を介して薬剤準備手段５０側に供給できる状態になる。
【００３０】
図４や図５に示すように、薬剤準備手段５０は、薬剤準備部本体５４ａや蓋５４ｂによって構成される空間内に円盤状の区画形成体５２が収容されたものである。区画形成体５２は、薬剤を溜め置くための区画５２ａを有する。区画形成体５２は、薬剤準備部本体５４ａの内部に設けられた動力源５６から動力を受けることにより、支軸５２ｂを中心として回動することができる。区画形成体５２は、周方向に複数の区画５２ａを有する。区画形成体５２は、後に詳述するように、包装手段８０において薬剤が包装されるタイミングに対してｎ包分（本実施形態では３包分）の薬剤を包装するのに要する期間以上前の段階において薬剤を準備しておくために、少なくともｎ個以上の区画５２ａを備えたものである必要がある。したがって、区画形成体５２は、少なくとも３つの区画５２ａを備えたものである必要がある。本実施形態では、区画形成体５２に６個の区画５２ａが設けられているため、ｎ包分（本実施形態では３包分）の薬剤を包装するのに要する期間以上前の段階において薬剤を準備しておくことができる。
【００３１】
区画５２ａは、それぞれ天面側が開口している。また、各区画各区画５２ａは、区画形成体５２を支軸５２ｂを中心として回動させることにより、蓋５４ｂに設けられた投入口５４ｃ，５４ｄと連通可能な位置に設けられている。さらに、図３に示すように、投入口５４ｃ，５４ｄには、収集ホッパー４２および手撒ホッパー４４が接続されている。そのため、区画形成体５２を回動させることにより、フィーダ式供給部３６や手撒式供給部３８から供給された薬剤を投入口５４ｃ，５４ｄを介して各区画５２ａ内に供給することができる。
【００３２】
区画形成体５２は、各区画５２ａに、それぞれ独立的に開閉可能なシャッター５２ｃが設けられている。区画形成体５２は、各シャッター５２ｃを開くことにより、各区画５２ａ内に収容されている薬剤を底側から下方に向けて排出させることができる。また、各区画５２ａは、区画形成体５２を支軸５２ｂを中心として回動させることにより、薬剤準備部本体５４ａの底面に設けられた開口５４ｅ（図５参照）の上方を通過可能な位置に設けられている。さらに、図２や図３に示すように、開口５４ｅの下方には、排出ホッパー５８が設けられており、開口５４ｅから排出された薬剤を包装手段８０側に供給可能とされている。そのため、区画形成体５２を回動させ、開口５４ｅの上方に位置する区画５２ａに設けられたシャッター５２ｃを開くことにより、この区画５２ａ内に収容されている薬剤を開口５４ｅを介して包装手段８０側に供給することができる。
【００３３】
ここで、上述した薬剤準備手段５０は、図１２に矢印で示すように一定方向に回転することにより各区画５２ａを順次、薬剤払出用の開口５４ｅに相当する位置まで移動させ、薬剤を１包分ずつ（区画５２ａ毎）払い出すことが可能とされている。すなわち、各区画５２ａ内に入っている薬剤は、開口５４ｅに到達するタイミングにおいて払い出される。そのため、上述した収集ホッパー４２や手撒ホッパー４４は、薬剤払出用の開口５４ｅから薬剤が払い出されるよりも３包分以上前のタイミングにおいて薬剤を区画５２ａに投入することができる。本実施例では、開口５４ｅから薬剤が払い出されるよりも５包分前のタイミングにおいて収集ホッパー４２から区画５２ａに薬剤が投入され、開口５４ｅから薬剤が払い出されるよりも４包分前のタイミングにおいて手撒ホッパー４４から区画５２ａに薬剤が投入される。
【００３４】
図３に示すように、上記した薬剤準備手段５０の下方には、分包紙供給手段６０や、印刷手段７０、包装手段８０、分包紙送り機構９０などの装置類が設けられている。分包紙供給手段６０は、ロール軸６２に巻かれたシート状で長尺の熱融着性シートからなる分包紙Ｐを繰り出して包装手段８０に送る機構である。分包紙供給手段６０により繰り出された分包紙Ｐは、図３に矢印で示すように印刷手段７０を経て、順次包装手段８０に繰り送られる。
【００３５】
印刷手段７０は、分包紙供給手段６０により送り出された分包紙Ｐに印刷を施すためのものである。図３に示すように、印刷手段７０は、上述した包装手段８０よりも分包紙Ｐの流れ方向上流側の位置に設けられている。薬剤の包装用として分包紙Ｐを繰り送る動作を行っている状態において、印刷手段７０および包装手段８０が設けられた位置との間に存在する分包紙Ｐの長さ、すなわち印刷手段７０から包装手段８０に至るまでの間に分包紙Ｐが通過する経路の長さは、後に述べるようにして形成される分包袋Ｖの長辺部分の長さＬのｎ倍（本実施形態では３倍）とされている。そのため、印刷手段７０において分包紙Ｐに印刷がなされるタイミングは、包装手段８０において薬剤が包装されるタイミング、すなわち薬剤準備手段５０の開口５４ｅから包装手段８０に向けて薬剤が払い出されるタイミングに対して、ｎ包分（本実施形態では３包分）の薬剤を包装するのに要する期間だけ前のタイミングとなる。
【００３６】
ここで、上述したように、本実施形態では、薬剤準備手段５０の開口５４ｅから包装手段８０に向けて薬剤が払い出されるタイミングに対し、３包分以上前のタイミングにおいて収集ホッパー４２や手撒ホッパー４４から区画５２ａに薬剤が投入される。そのため、区画５２ａに対して薬剤が投入された後に、この薬剤についての情報を分包紙Ｐに印刷することになる。
【００３７】
さらに詳細に説明すると、図１２に示すように、本実施形態では、区画形成体５２に６つの区画５２ａが設けられている。図１２において番号１が付された区画５２ａ（以下、「区画Ｘ」とも称す）に着目して説明すると、複数の区画５２ａのうちの一である区画Ｘに溜め置かれている薬剤は、図１２（ｄ）のように薬剤排出用の開口５４ｅが設けられた位置まで区画形成体５２が回転したタイミングにおいて払い出される。一方、区画Ｘに対してフィーダ式供給部３６から薬剤が投入されるのは、図１２（ａ）に示す段階であり、区画Ｘから薬剤が払い出されるタイミングに対し、５包分に相当する薬剤が払い出されるのに要する期間だけ前のタイミングである。また、手撒式供給部３８から薬剤が投入されるのは、図１２（ｂ）に示す段階であり、区画Ｘから薬剤が払い出されるタイミングに対し、４包分に相当する薬剤が払い出されるのに要する期間だけ前のタイミングである。上述したように、分包紙Ｐに対して、区画Ｘ内の薬剤についての情報が印刷されるのは、区画Ｘから薬剤が払い出されるタイミングに対して３包分前の段階であるため、区画Ｘ内の薬剤についての情報が分包紙Ｐに印刷されるまでには、フィーダ式供給部３６や手撒式供給部３８から区画Ｘへの薬剤の投入を完了させることができる。
【００３８】
包装手段８０は、分包紙折曲部材８２と圧着装置８４とを備えている。包装手段８０は、印刷手段７０において所定の情報を印刷した状態で送られた分包紙Ｐを用いて薬剤を一包分ずつ包装するものである。分包紙折曲部材８２は、印刷手段７０側から供給されてきた分包紙Ｐの短手方向（幅方向）略中央部分にあてがわれる棒状の部材であり、この状態において分包紙Ｐを下流側に送ると図６（ａ）に示すように分包紙Ｐを短手方向（幅方向）略中央部分において２つに折り曲げることができる。圧着装置８４は、分包紙折曲部材８２により折り曲げられ２枚重ねになった分包紙Ｐを圧着することにより分包袋Ｖを形成することができるものである。図６（ｂ）や図１１〜図１５に示すように、分包袋Ｖは、分包紙Ｐの長手方向（分包紙Ｐの送り方向）に連続的に形成される。
【００３９】
圧着装置８４は、図６（ａ）に示すように分包袋Ｖの短辺（分包紙Ｐの幅方向に横切る辺）を圧着して封鎖する段階と、図６（ｂ）に示すように分包袋Ｖの残りの辺、すなわち長辺（分包紙Ｐの長手方向にのびる辺）及び図６（ａ）で封鎖した短辺と平行なもう一つの短辺を圧着して封鎖する段階とに分けて分包紙Ｐを圧着することができる。また、図６（ａ）に示すように、圧着装置８４により分包袋Ｖの短辺が封鎖された段階において、長辺部分が未封鎖であり半袋状である分包袋Ｖ内に排出ホッパー５８が差し込まれた状態になる。そのため、圧着装置８４により分包袋Ｖの短辺部分が封鎖された段階において薬剤準備手段５０側から半袋状の分包袋Ｖ内に薬剤を供給し、その後に図６（ｂ）に示すように圧着装置８４により分包袋Ｖの長辺を封鎖することにより、分包袋Ｖ内に薬剤を密封包装することができる。このようにして薬剤を包装した分包紙Ｐは、包装手段８０よりもさらに分包紙Ｐの送り方向下流側に設けられた分包紙送り機構９０により繰り送られ、薬剤包装装置１０の本体２０から外に向けて払い出される。
【００４０】
図７に示すように、制御手段１００は、制御部１０２を中核として構成されるものであり、制御部１０２に対して入力デバイス１０４やＰＣ端末１０６を有線あるいは無線によりデータ通信可能なように接続した構成とされている。制御部１０２は、薬剤包装装置１０の動作全般を制御するものであり、ＣＰＵを用いたデジタル回路などによって構成することができる。制御部１０２は、分包制御手段１０８や、印刷制御手段１１０、フィーダ情報記憶手段１１２を備えている。分包制御手段１０８は、外部から入力された処方データに基づき、上述した薬剤払出手段３０や待機ホッパー４０、薬剤準備手段５０、印刷手段７０、包装手段８０、分包紙送り機構９０などに動作指令信号を発信し、一連の分包動作を制御する機能を有する。また、印刷制御手段１１０は、後に詳述するＰＣ端末１０６から受信したプリントデータＰＤを所定のタイミングで印刷手段７０に送信することにより、印刷手段７０を作動させ分包紙Ｐへの印刷を実行させるためのものである。
【００４１】
フィーダ情報記憶手段１１２は、薬剤払出手段３０を構成する各フィーダ供給部３６を特定する情報（以下、「フィーダ特定情報」ＦＤとも称す）や、各フィーダ式供給部３６とこれに準備されている薬剤の種類を特定する情報とを関連づけたデータベース（以下、「薬剤特定データベース」ＤＢとも称す）を構築し、記録しておくことが可能である。フィーダ特定情報ＦＤは、各フィーダ供給部３６の取付位置を示すアドレス情報や、各フィーダ供給部３６に固有のＩＤ番号などによって構成することができる。本実施形態では、フィーダ特定情報ＦＤとして、前述した各フィーダ供給部３６の取付位置を示すアドレス情報が採用されている。薬剤特定データベースＤＢは、各フィーダ供給部３６のアドレス情報（フィーダ特定情報ＦＤ）と、収容されている薬剤の種類を特定する情報とを関連づけた情報により構築されている。そのため、薬剤特定データベースＤＢを参照することにより、アドレス番号Ｎ番（Ｎ＝自然数）のフィーダ供給部３６に、Ａ薬剤（Ａ＝薬剤の種類）が準備されているということを把握することができる。
【００４２】
入力デバイス１０４は、タッチパネル式の入力装置や、従来公知のキーボード、マウス、ボタンなどによって構成することができる。本実施形態では、入力デバイス１０４として、タッチパネル式の入力装置が採用されている。入力デバイス１０４は、各フィーダ式供給部３６に薬剤を充填する際に、充填される薬剤の製造履歴に関する情報（以下、「製造履歴情報」ＭＣとも称す）や、薬剤の充填数など、薬剤をフィーダ式供給部３６に充填する度に流動的に変化する情報を入力するために使用される。製造履歴情報ＭＣは、例えば薬剤のロット番号や、薬剤の製造年月日、薬剤の使用期限などから選ばれる一又は複数の情報により構成することが可能である。本実施形態では、製造履歴情報ＭＣとして薬剤のロット番号が採用されている。入力デバイス１０４を介して入力された製造履歴情報ＭＣや薬剤の充填数などの情報は、制御部１０２を経由してＰＣ端末１０６に伝達され、ＰＣ端末１０６に準備されたハードディスクドライブなどによって構成された記憶デバイスに記録される。
【００４３】
ＰＣ端末１０６は、従来公知のパーソナルコンピュータなどによって構成されており、必要に応じて図示しないホスト端末などに接続することも可能とされている。ＰＣ端末１０６は、上述した製造履歴情報ＭＣや薬剤の充填数などの情報を記録する機能に加え、処方データの入力端末としての機能も備えている。具体的には、ＰＣ端末１０６は、オペレータの操作により直接処方データを入力することが可能である。また、ＰＣ端末１０６に対してホスト端末（図示せず）などの外部装置が接続されている場合は、外部装置側から処方データを入力することが可能である。
【００４４】
制御手段１００は、上述したような構成とされており、分包制御手段１０８による制御の下で薬剤の包装を行うと共に、フィーダ情報記憶手段１１２にアクセスすることにより駆動中の薬剤フィーダ４６から払い出されている薬剤の種類を確認し、この薬剤についての製造履歴情報ＭＣをＰＣ端末１０６の記憶デバイスから読み出して確認することができる。すなわち、本実施形態では、制御手段１００が、製造履歴情報ＭＣを特定するための製造履歴特定手段としての機能を発揮する。
【００４５】
続いて、本実施形態の薬剤包装装置１０の動作について、図８〜図１０に示すフローチャートを参照しつつ詳細に説明する。薬剤包装装置１０は、先ずステップ１−１において制御手段１００のＰＣ端末１０６に処方データが入力されているか、いないかを確認する。ここで処方データが入力されていることが確認されると、制御フローがステップ１−２に進み、制御部１０２においてフィーダ情報記憶手段１１２が参照され、処方すべき薬剤が収容されている薬剤フィーダ４６（以下、「選択フィーダ」４６とも称す）が決定されるとともに、この薬剤フィーダ４６に対して制御部１０２から動作指令信号が発信される。また、ステップ１−２では、後述するステップ１−５において分包紙Ｐに印刷を施すために用いるプリントデータＰＤが生成される。
【００４６】
ステップ１−２において動作指令信号に基づき選択フィーダ４６が駆動を開始すると、薬剤が払い出される。この際、駆動している選択フィーダ４６に設けられた薬剤排出センサ４６ａから発信される薬剤の検知信号が制御部１０２において受信され、この検知信号に基づいて薬剤の払出数が計数される（ステップ１−３）。また、ステップ１−４において、選択フィーダ４６における薬剤の払い出しが完了したか否かが確認される。具体的には、ステップ１−３において計数された薬剤の払出数と、ステップ１−１において受信された処方データにおいて指定されている払出数とを比較することにより、薬剤の払い出しが完了したか否かが確認される。ステップ１−４において薬剤の払い出しが未完了であると判断された場合は、制御フローがステップ１−２に戻され、引き続き薬剤の払い出し動作が継続される。一方、ステップ１−４において薬剤の払い出し動作が完了したものと判断された場合は、制御フローがステップ１−６に進行し、区画形成体５２が一区画分だけ正方向に回転される。その後、制御フローは、ステップ１−６に進行する。
【００４７】
ステップ１−６では、上述したステップ１−２において生成されＰＣ端末１０６から発信されたプリントデータＰＤが、制御部１０２を経由して印刷手段７０に伝達され、分包紙Ｐに印刷が施される。この際、分包紙Ｐには、患者名や薬剤の服用時期などの情報に加え、上述したステップ１−２からステップ１−４に至るフローにおいて払い出された薬剤の名称や、数量、製造履歴情報ＭＣなどの情報が印刷される。具体的には、薬剤の名称がＡであり、製造履歴情報ＭＣがロットナンバー＃０１である場合は、図６に示すように印刷される。その他、薬剤の個数や、患者名等、適宜印刷することも可能である。
【００４８】
ステップ１−６において印刷が完了すると、制御フローがステップ１−７に進み、ステップ１−２からステップ１−４のフローにおいて準備された薬剤が分包紙Ｐに包装される（図６（ｂ）参照）。その後、制御フローはステップ１−８に進み、次に包装すべき薬剤の存否が確認される。次に包装すべき薬剤が存在する場合は、制御フローがステップ１−２に戻され、引き続き薬剤の包装動作が継続される。一方、次に包装すべき薬剤が存在しない場合は、上述した一連の制御フローが完了する。
【００４９】
一方、上述したステップ１−４において選択フィーダ４６から包装に必要な薬剤の払い出しが完了していないものと判断された場合は、制御フローがステップ１−９に進められる。ステップ１−９では、ステップ１−４において払い出しが完了していないと判断された理由が、選択フィーダ４６における薬剤の欠品によるものであるのか、あるいは単に薬剤の払い出しが完了していないためであるのかが確認される。具体的には、一回服用分として定められた数量の薬剤の排出が完了していないにもかかわらず、薬剤排出センサ４６ａにより薬剤が検知されない状態が所定期間にわたって継続している場合は、薬剤が欠品したものと判断される。ここで、薬剤の払い出しが未完了である、すなわち薬剤の払い出し中であると判断された場合は、制御フローがステップ１−２に戻され、必要量の薬剤の払い出しが完了するまで、薬剤フィーダの動作が継続される。
【００５０】
これに対し、ステップ１−４において払い出しが完了していないと判断された理由が選択フィーダ４６における薬剤の欠品によるものである場合は、制御フローがステップ１−１０に進められ、分割包装動作が実施される。具体的には、制御フローがステップ１−１０に進むと、図９及び図１０に示すサブルーチンによる制御が開始される。図９に示すサブルーチンでは、先ずステップ２−１において払い出すべき薬剤を払い出し可能な薬剤フィーダ４６（以下、「代替フィーダ」４６とも称す）が存在するか否かが確認される。ここで、代替フィーダ４６が存在する場合は、制御フローがステップ２−２に進み、存在しない場合は後に詳述するステップ３−１に進む。
【００５１】
制御フローがステップ２−２に進行すると、図１１（ｂ）の分包袋Ｖ１に印刷されているように、患者名や薬剤の服用時期などの情報に加え、既に選択フィーダ４６から払い出されている薬剤（先払出分の薬剤）の名称や数量、製造履歴情報ＭＣなどの情報が印刷される。具体的には、制御フローがステップ２−１以降のフローに進行した場合は、図１１（ｂ）に示すように先払出分の薬剤と、先払出分では不足する分の薬剤（後払出分の薬剤）とが別の分包袋Ｖ１，Ｖ２に包装されることになる。そのため、制御フローがステップ２−２に進んだ場合は、これよりも前のタイミングにおいて印刷制御手段１１０により作成されていたプリントデータＰＤが破棄され、分包袋Ｖ１，Ｖ２に収容される薬剤の名称や数量、製造履歴情報ＭＣなどの情報を反映したプリントデータが作成される。ステップ２−２では、印刷制御手段１１０により再作成されたプリントデータＰＤに基づき、分包袋Ｖ１に包装される先払出分の薬剤についての情報が印刷される。
【００５２】
また、ステップ２−３では、制御部１０２からの制御指令信号により、区画形成体５２が区画５２ａの１つ分だけ正方向に回転する。これにより、選択フィーダ４６から払い出された薬剤が入っている区画５２ａが区画形成体５２の周方向に移動し、次の区画５２ａに薬剤を投入可能な状態になる。すなわち、ステップ２−３において区画形成体５２が回転することにより、選択フィーダ４６から払い出された薬剤と、以後の制御フローにおいて払い出される薬剤とを別々の区画５２ａに収容することが可能となる。
【００５３】
具体的には、一回服用分（一単位）として包装する薬剤の製造履歴情報ＭＣが同一である場合は、図１２（ａ）に示すように区画形成体５２の区画５２ａ（図中では番号１で示された区画５２ａ）に纏めて投入される。これに対して、図１２（ａ）に示すように同種の薬剤を複数含むものを一回服用分として包装する場合に、薬剤の欠品が発生したときは、図１２（ｂ）のように先払出分の薬剤が区画５２ａ（図中では番号２で示された区画５２ａ）に投入された後、図中に矢印で示すように区画形成体５２が区画５２ａの一つ分だけ正方向に回転される（図１２（ｃ）参照）。これにより、先払出分の薬剤と、以降のステップにおいて払い出される製造履歴情報ＭＣの異なる薬剤とが、単一の区画５２ａ内において混在してしまうのが防止される（図１２（ｄ）参照）。
【００５４】
ステップ２−３において区画形成体５２の回転が完了すると、制御フローがステップ２−４に進み、代替フィーダ４６が決定されるとともに、この代替フィーダ４６に対して制御部１０２から動作指令信号が発信される。これにより、選択フィーダ４６からの薬剤の払い出し動作において不足していた分の薬剤が代替フィーダ４６から払い出すことができる。代替フィーダ４６から払い出された薬剤は、図１２（ｃ），（ｄ）に示すように、先払出分の薬剤とは別の区画５２ａ（図中では番号３で示された区画５２ａ）に投入される。また、ステップ２−４において代替フィーダ４６が駆動すると、制御フローがステップ２−５に進み、代替フィーダ４６に設けられている薬剤排出センサ４６ａから発信される検知信号に基づき制御部１０２において薬剤の払出数が計数される。
【００５５】
ここで、上述したステップ１−２において生成されていたプリントデータＰＤは、通常包装（ステップ１−７）を行うことを前提として作成されたものであるため、分割包装を行う場合は、これに対応した印刷を行うべくプリントデータＰＤを作成しなおす必要がある。そこで、ステップ２−４において代替フィーダ４６が決定されるのと並行して、ステップ１−２において生成されていたプリントデータＰＤの消去及び再作成が行われる。
【００５６】
ステップ２−５における結果、ステップ２−６において薬剤の払い出しが完了していないと判断された場合は、制御フローがステップ２−１０に進められ、薬剤の払い出しが完了していない理由が代替フィーダ４６における薬剤の欠品によるものであるのか、あるいは薬剤の払い出しの途中であるためであるのかが確認される。具体的には、上述したステップ１−９の場合と同様に、一回服用分の薬剤の排出が完了していないにもかかわらず、薬剤排出センサ４６ａにより薬剤が検知されない状態が所定期間にわたって継続している場合は、薬剤が欠品したものと判断される。ここで、薬剤の払い出しの途中であると判断された場合は、制御フローがステップ２−４に戻され、引き続き代替フィーダ４６における薬剤の払い出しが継続される。一方、代替フィーダ４６における薬剤の欠品が原因であると判断された場合は、制御フローがステップ２−１に戻される。この際、代替フィーダ４６に代替する他の薬剤フィーダ４６が存在する場合は、上述したのと同様にステップ２−２移行の制御フローが実行される。一方、代替フィーダ４６に代替するものがないと判断された場合は、制御フローがステップ３−１に進められる。
【００５７】
一方、ステップ２−６において代替フィーダ４６における薬剤の払い出しが完了したことが確認された場合は、制御フローがステップ２−７に進められる。ステップ２−７では、図１１（ｂ）において分包袋Ｖ２に印刷されているように、患者名や薬剤の服用時期などの情報に加え、代替フィーダ４６から払い出された薬剤（後払出分の薬剤）の名称や、製造履歴情報ＭＣなどの情報が印刷される。具体的には、図１１（ｂ）に示す例では、代替フィーダ４６から払い出された薬剤Ａの製造履歴情報ＭＣに相当するロットナンバーが＃０２であるため、薬剤Ａの名称と、ロットナンバー＃０２が分包袋Ｖ２に印刷される。
【００５８】
その後、制御フローがステップ２−８に進むと、先ず選択フィーダ４６から払い出された薬剤が、ステップ２−２において印刷が施された分包紙Ｐ（分包袋Ｖ）に包装される。具体的には、図１１（ｂ）に示す例では、選択フィーダ４６から払い出されたロットナンバー＃０１の薬剤Ａが分包袋Ｖ１に包装される。また、ステップ２−８における薬剤の包装が完了すると、制御フローがステップ２−９に進み、代替フィーダ４６から払い出された薬剤が、ステップ２−７において印刷が施された分包紙Ｐ（分包袋Ｖ）に包装される。具体的には、図１１（ｂ）に示す例では、代替フィーダ４６から払い出されたロットナンバー＃０２の薬剤Ａが分包袋Ｖ１に連続して形成された分包袋Ｖ２に包装される。これにより、選択フィーダ４６から払い出された薬剤と、代替フィーダ４６から払い出された薬剤が、それぞれ別の分包紙Ｐ（分包袋Ｖ）に包装された状態になる。
【００５９】
上述したステップ２−１において代替フィーダ４６が存在しないと判断された場合は、制御フローがステップ３−１に進む。ステップ３−１では、先ず患者名や薬剤の服用時期などの情報に加え、既に払い出されている薬剤（先払出分の薬剤）の名称や、製造履歴情報ＭＣなどの情報が印刷される。その後、制御フローはステップ３−２に移行し、制御部１０２からの制御指令信号に基づいて区画形成体５２が区画５２ａの１つ分だけ正方向に回転する。これにより、上述したステップ２−３の場合と同様に、既に払い出された薬剤が入っている区画５２ａが、収集ホッパー４２から薬剤を受け入れ可能な位置から区画形成体５２の周方向に移動し、以後の制御フローにおいて収集ホッパー４２から払い出される薬剤を別の区画５２ａに投入可能な状態とされる。
【００６０】
上記したステップ３−２において区画形成体５２が回転すると、制御フローがステップ３−３に移行する。ステップ３−３において、タッチパネルなどの入力デバイス１０４を用いて選択フィーダ４６に充填した薬剤の製造履歴情報ＭＣや、薬剤の充填数などがＰＣ端末１０６に入力されるなどして選択フィーダ４６への薬剤の充填作業が完了した状態になると、制御フローがステップ３−４に進み、選択フィーダ４６が決定され、駆動を再開する。また、選択フィーダ４６の決定や駆動再開と並行して、上述したステップ１−２において生成されていたプリントデータＰＤが消去され、新たにプリントデータＰＤが作成される。
【００６１】
ステップ３−４において選択フィーダ４６の駆動が再開されると、制御フローがステップ３−５に進む。ステップ３−５においては、選択フィーダ４６から払い出された薬剤の払出数が計数される。これによりステップ３−３において選択フィーダ４６に薬剤が充填されるよりも前の段階において払出数が不足していた分の薬剤が、ステップ３−４において選択フィーダ４６が作動し始めた後に払い出されたことが確認されると、制御フローがステップ３−６からステップ３−７に移行する。
【００６２】
これに対し、ステップ３−６において薬剤の払い出しが確認されていない場合は、制御フローがステップ３−１０に進められる。ステップ３−１０では、未だ薬剤の払い出しが完了していない理由が、薬剤の払い出し中であるためなのか、選択フィーダ４６において再び薬剤の欠品が発生したからなのかが確認される。具体的には、上述したステップ１−９やステップ２−１０の場合と同様に、一回服用分の薬剤の排出が完了していないにもかかわらず、薬剤排出センサ４６ａにより薬剤が検知されない状態が所定期間にわたって継続している場合は、薬剤が欠品したものと判断される。ここで、選択フィーダ４６における薬剤の欠品によるものであると判断された場合は、制御フローが上述したステップ２−２に進められる。一方、選択フィーダ４６における薬剤の払い出し中であると判断された場合は、制御フローがステップ３−４に戻される。
【００６３】
上述したようにしてステップ３−６において薬剤の払い出しが完了したことが確認されると、制御フローがステップ３−７に進み、患者名や薬剤の服用時期などの情報に加え、選択フィーダ４６への薬剤の充填後に払い出された薬剤（後払出分の薬剤）についての名称や、製造履歴情報ＭＣなどの情報が印刷される（図１１参照）。その後、制御フローがステップ３−８に進むと、選択フィーダ４６に対して薬剤を充填する前に払い出されていた薬剤（先払出分の薬剤）が、ステップ３−１において印刷が施された分包紙Ｐ（分包袋Ｖ）に包装される。また、ステップ３−８における薬剤の包装が完了すると、制御フローがステップ３−９に進み、空になった選択フィーダ４６に対して薬剤を補充した後に払い出された薬剤（後払出分の薬剤）が、ステップ３−７において印刷が施された分包紙Ｐ（分包袋Ｖ）に包装される。これにより、選択フィーダ４６から払い出された薬剤と、代替フィーダ４６から払い出された薬剤が、それぞれ別の分包紙Ｐ（分包袋Ｖ）に包装された状態になる。すなわち、処方データにおいて１単位として包装するように指示されていた薬剤が、その製造履歴情報ＭＣ毎に異なる分包袋Ｖに包装された状態になる。
【００６４】
上述したように、本実施形態の薬剤包装装置１０では、制御手段１００により、薬剤フィーダ４６から払い出される薬剤の製造履歴に基づく製造履歴情報ＭＣを特定することが可能とされており、同種の薬剤であって製造履歴情報ＭＣが相違する薬剤が薬剤フィーダ４６から払い出される場合に、一回服用分に該当する薬剤が製造履歴情報ＭＣ毎に分けて包装される。具体的には、上述した薬剤包装装置１０では、一回服用分として包装する薬剤、具体的には通常であれば一包に纏めて包装され、一回に纏めて服用すべき薬剤として同種の薬剤が複数含まれている場合に、纏めて包装すると製造履歴情報ＭＣの相違するものが混在してしまうことになるため、製造履歴情報ＭＣ毎に分けて薬剤が包装される。また、薬剤包装装置１０では、制御手段１００により特定された薬剤の製造履歴情報ＭＣが印刷手段により分包紙Ｐ（分包袋Ｖ）に印刷される。そのため、薬剤包装装置１０では、仮に製造履歴情報ＭＣの相違する薬剤が包装用に払い出されることがあったとしても、分包袋Ｖに印刷された製造履歴情報ＭＣを参照することにより、薬剤と製造履歴情報ＭＣとの対応関係を容易かつ正確に把握することが可能となる。
【００６５】
また、本実施形態の薬剤包装装置１０では、区画形成体５２の各区画５２ａに薬剤が投入された後に、各区画５２ａに実際に投入された薬剤についての情報が分包紙Ｐに印刷される。そのため、薬剤包装装置１０では、包装すべき薬剤が区画Ｘに投入されていることを条件として分包紙Ｐに印刷が施されることとなり、包装すべき薬剤がきちんと投入されているか否かを容易に監査できる。また、薬剤包装装置１０では、区画形成体５２をなす各区画５２ａに対する薬剤の供給不良があった場合に分包紙Ｐへの印刷がなされない。そのため、薬剤の供給不良があった場合に、分包紙Ｐ等の無駄が発生するのを防止することができる。
【００６６】
上記実施形態では、製造履歴情報ＭＣとして薬剤の製造ロット番号が用いられていたが、本発明はこれに限定されるものではなく、製造年月日や使用期限なども製造履歴情報ＭＣとして採用することが可能である。また、製造履歴情報ＭＣは、製造ロット番号や、製造年月日、使用期限などの情報を複合的に組み合わせたものであってもよい。さらに、製造履歴情報ＭＣは、文字情報に限定されるものではなく、例えばバーコードなどによって構成することも可能である。
【００６７】
本実施形態において説明した図１１に示す例では、薬剤Ａのみが包装される例を例示したが、本発明はこれに限定されるものではなく、例えば図１３や図１４に示す例のように他の種類の薬剤（図示の例では薬剤Ｂ）も一緒に包装されるものであってもよい。この場合、図１３及び図１４に示すように、欠品が発生していない薬剤Ａおよび欠品が発生する前に払い出された薬剤Ｂ（先払出分の薬剤）が纏めて分包袋Ｖ１に包装されると共に、欠品した後に払い出された薬剤（後払出分）が分包袋Ｖ２に包装される。これにより、製造履歴情報ＭＣの対応関係が明確となるように薬剤Ａ，Ｂを包装することが可能となる。
【００６８】
また、上述したように一回服用分として包装される薬剤を製造履歴情報ＭＣ毎に分類し、２以上の包（小口）に分けて包装する場合は、図１５に示すように小口数を判明しやすくするよう、分包紙Ｖに印刷を施すことが望ましい。具体的には、一回服用分として包装されるべき薬剤を２小口（２包）に分けて包装する場合は、図１５に示すように各分包袋Ｖに１／２，２／２などの印刷を施し、一回服用分の薬剤が複数の分包袋Ｖに分割包装されていることを注意喚起することが望ましい。このような印刷を施しておくことにより、一回に纏めて服用すべき薬剤が複数の包（小口）に分けて包装されていることが瞬時に判別可能となり、より一層利便性を向上させることが可能となる。
【符号の説明】
【００６９】
１０      薬剤包装装置
３０      薬剤払出手段
５０      薬剤準備手段
５２      区画形成体
５２ａ    区画
７０      印刷手段
８０      包装手段
１００      制御手段（製造履歴特定手段）
１０２      制御部
１０８      分包制御手段
１１０      印刷制御手段
Ｐ      分包紙
Ｖ      分包袋
ＭＣ      製造履歴情報
【図１】
2011052766.tif 000003
【図２】
2011052766.tif 000004
【図３】
2011052766.tif 000005
【図４】
2011052766.tif 000006
【図５】
2011052766.tif 000007
【図６】
2011052766.tif 000008
【図７】
2011052766.tif 000009
【図８】
2011052766.tif 000010
【図９】
2011052766.tif 000011
【図１０】
2011052766.tif 000012
【図１１】
2011052766.tif 000013
【図１２】
2011052766.tif 000014
【図１３】
2011052766.tif 000015
【図１４】
2011052766.tif 000016
【図１５】
2011052766.tif 000017
【国際調査報告】
2011052766.tif 000018
2011052766.tif 000019